(57)【要約】【課題】  ユーザの煩雑な操作なしで、その時のユーザの気分に応じた楽曲を再生することができる楽曲再生装置および方法を提供する。【解決手段】  候補曲特定部は、各楽曲のうち、楽曲パラメータに含まれる第１因子の値が再生中の楽曲の第１因子の値よりも大きい楽曲を第１候補曲として特定するとともに、当該各楽曲のうち、第１因子の値が再生中の楽曲の第１因子の値よりも小さい楽曲を第２候補曲として特定する。表示制御部は、再生部によって楽曲のデータが再生されている場合、第１候補曲および第２候補曲の楽曲情報を、楽曲パラメータの因子によって構成される印象空間における座標位置が表示画面上における位置に反映されるように表示する。再生制御部は、表示装置に表示されている楽曲情報により示される楽曲を指定する入力をユーザから受け付けると、指定された楽曲を再生部が再生するように制御する。【選択図】  図１
2005032409.tif 000002
【特許請求の範囲】
【請求項１】
表示装置を有し、楽曲を再生する楽曲再生装置であって、
複数の楽曲のデータを格納する楽曲データ格納部と、
楽曲の特徴を数量化して１以上の因子で表現した楽曲パラメータを、前記楽曲データ格納部にデータが格納されている各楽曲毎に格納するパラメータ格納部と、
前記楽曲データ格納部に格納されている楽曲のデータを再生する再生部と、
前記楽曲データ格納部にデータが格納されている各楽曲のうち、楽曲パラメータに含まれる第１因子の値が前記再生中の楽曲の第１因子の値よりも大きい楽曲を第１候補曲として特定するとともに、当該各楽曲のうち、前記第１因子の値が前記再生中の楽曲の第１因子の値よりも小さい楽曲を第２候補曲として特定する候補曲特定部と、
前記再生部によって楽曲のデータが再生されている場合、前記第１候補曲に関する楽曲情報を、前記表示装置の画面上における基準位置から所定の第１方向に表示させるとともに、前記第２候補曲に関する楽曲情報を、前記第１方向の逆方向である第２方向に表示させる表示制御部と、
前記表示装置に表示されている楽曲情報により示される楽曲を指定する入力をユーザから受け付けると、指定された楽曲を前記再生部が再生するように制御する再生制御部とを備える、楽曲再生装置。
【請求項２】
前記候補曲特定部は、前記楽曲データ格納部にデータが格納されている各楽曲のうち、楽曲パラメータに含まれる因子であって前記第１因子と異なる第２因子の値が前記再生中の楽曲の第２因子の値よりも大きい楽曲を第３候補曲として特定するとともに、当該各楽曲のうち、前記第２因子の値が前記再生中の楽曲の第２因子の値よりも小さい楽曲を第４候補曲として特定し、
前記表示制御部は、前記再生部によって楽曲のデータが再生されている場合、前記第３候補曲に関する楽曲情報を、前記第１および第２方向とは異なる第３方向に表示させるとともに、前記第４候補曲に関する楽曲情報を、前記第３方向の逆方向である第４方向に表示させる、請求項１に記載の楽曲再生装置。
【請求項３】
前記候補曲特定部は、前記楽曲データ格納部にデータが格納されている各楽曲のうち、前記第１因子の値が所定値よりも大きい楽曲を第５候補曲として特定するとともに、当該各楽曲のうち、前記第１因子の値が前記所定値よりも小さい楽曲を第６候補曲として特定し、
前記表示制御部は、前記再生部によって楽曲のデータが再生されると、前記第５候補曲に関する楽曲情報を前記第１方向に表示させるとともに、前記第６候補曲に関する楽曲情報を前記第２方向に表示させる、請求項１に記載の楽曲再生装置。
【請求項４】
前記候補曲特定部は、
前記楽曲データ格納部にデータが格納されている各楽曲のうち、前記第１因子の値が第１所定値よりも大きく、かつ、楽曲パラメータに含まれる因子であって前記第１因子と異なる第２因子の値が第２所定値よりも大きい楽曲を第７候補曲として特定し、
当該各楽曲のうち、前記第１因子の値が第１所定値よりも大きく、かつ、前記第２因子の値が前記第２所定値よりも小さい楽曲を第８候補曲として特定し、
当該各楽曲のうち、前記第１因子の値が第１所定値よりも小さく、かつ、前記第２因子の値が前記第２所定値よりも大きい楽曲を第９候補曲として特定し、
当該各楽曲のうち、前記第１因子の値が第１所定値よりも小さく、かつ、前記第２因子の値が前記第２所定値よりも小さい楽曲を第１０候補曲として特定し、
前記表示制御部は、前記再生部によって楽曲のデータが再生されると、前記第７候補曲に関する楽曲情報を前記第１方向に表示させるとともに、前記第１０候補曲に関する楽曲情報を前記第２方向に表示させ、前記第８候補曲に関する楽曲情報を前記第１および第２方向とは異なる第３方向に表示させるとともに、前記第９候補曲に関する楽曲情報を前記第３方向の逆方向である第４方向に表示させる、請求項１に記載の楽曲再生装置。
【請求項５】
前記表示制御部は、前記再生部によって再生中の楽曲に関する楽曲情報を前記基準位置に表示させる、請求項１に記載の楽曲再生装置。
【請求項６】
前記候補曲特定部は、前記楽曲データ格納部にデータが格納されている各楽曲のうち、前記楽曲パラメータが前記再生中の楽曲に類似する楽曲を類似候補曲として前記楽曲パラメータを用いて特定し、
前記表示制御部は、前記類似候補曲に関する楽曲情報を前記基準位置の近傍に表示させる、請求項５に記載の楽曲再生装置。
【請求項７】
前記候補曲特定部は、前記楽曲データ格納部にデータが格納されている各楽曲のうち、前記楽曲パラメータが前記再生中の楽曲に類似する楽曲を類似候補曲として前記楽曲パラメータを用いて特定し、
前記表示制御部は、前記類似候補曲に関する楽曲情報を前記基準位置に表示させる、請求項１に記載の楽曲再生装置。
【請求項８】
楽曲パラメータの値によって区別される楽曲のタイプを示す情報を複数格納する楽曲タイプ格納部をさらに備え、
前記候補曲特定部は、前記楽曲タイプ格納部に格納されている情報に従って、複数のタイプのそれぞれに属する各楽曲を候補曲として特定し、
前記表示制御部は、前記表示装置の画面上における前記基準位置から前記楽曲情報を表示させるべき位置までの方向を、楽曲パラメータの各因子を座標軸とする印象空間における所定位置から各候補曲の位置までの方向に関連付けて、当該各候補曲に関する楽曲情報を前記表示装置に表示させる、請求項１に記載の楽曲再生装置。
【請求項９】
前記再生制御部は、前記表示装置に表示されている楽曲情報により示される楽曲の一部を再生するための入力を受け付け、当該入力を受け付けた場合、指定された楽曲の一部を前記再生部が再生するように制御する、請求項１に記載の楽曲再生装置。
【請求項１０】
前記第１因子は、聴者が賑やかな印象を受ける楽曲であるほど大きくなり、聴者が穏やかな印象を受ける楽曲であるほど小さくなるような数値で表される、請求項１に記載の楽曲再生装置。
【請求項１１】
表示装置を有し、楽曲を再生する楽曲再生装置において用いられる楽曲再生方法であって、
前記楽曲再生装置は、
複数の楽曲のデータを格納する楽曲データ格納部と、
楽曲の特徴を数量化して１以上の因子で表現した楽曲パラメータを、前記楽曲データ格納部にデータが格納されている各楽曲毎に格納するパラメータ格納部とを備えており、
前記楽曲データ格納部に格納されている楽曲のデータを再生する再生ステップと、
前記楽曲データ格納部にデータが格納されている各楽曲のうち、楽曲パラメータに含まれる第１因子の値が前記再生中の楽曲の第１因子の値よりも大きい楽曲を第１候補曲として特定するとともに、当該各楽曲のうち、前記第１因子の値が前記再生中の楽曲の第１因子の値よりも小さい楽曲を第２候補曲として特定する候補曲特定ステップと、
前記再生ステップによって楽曲のデータが再生されている場合、前記第１候補曲に関する楽曲情報を、前記表示装置の画面上における基準位置から所定の第１方向に表示させるとともに、前記第２候補曲に関する楽曲情報を、前記第１方向の逆方向である第２方向に表示させる表示制御ステップと、
前記表示装置に表示されている楽曲情報により示される楽曲を指定する入力をユーザから受け付けると、指定された楽曲を前記再生ステップにおいて再生するように制御する再生制御ステップとを備える、楽曲再生方法。
【請求項１２】
表示装置を有し、楽曲を再生する楽曲再生装置のコンピュータに実行されるプログラムであって、
前記楽曲再生装置は、
複数の楽曲のデータを格納する楽曲データ格納部と、
楽曲の特徴を数量化して１以上の因子で表現した楽曲パラメータを、前記楽曲データ格納部にデータが格納されている各楽曲毎に格納するパラメータ格納部とを備えており、
前記楽曲データ格納部に格納されている楽曲のデータを再生する再生ステップと、
前記楽曲データ格納部にデータが格納されている各楽曲のうち、楽曲パラメータに含まれる第１因子の値が前記再生中の楽曲の第１因子の値よりも大きい楽曲を第１候補曲として特定するとともに、当該各楽曲のうち、前記第１因子の値が前記再生中の楽曲の第１因子の値よりも小さい楽曲を第２候補曲として特定する候補曲特定ステップと、
前記再生ステップによって楽曲のデータが再生されている場合、前記第１候補曲に関する楽曲情報を、前記表示装置の画面上における基準位置から所定の第１方向に表示させるとともに、前記第２候補曲に関する楽曲情報を、前記第１方向の逆方向である第２方向に表示させる表示制御ステップと、
前記表示装置に表示されている楽曲情報により示される楽曲を指定する入力をユーザから受け付けると、指定された楽曲を前記再生ステップにおいて再生するように制御する再生制御ステップとを前記コンピュータに実行させるプログラム。
【請求項１３】
請求項１２に記載のプログラムを記録した、前記コンピュータ読み取り可能な記録媒体。
【発明の詳細な説明】
【技術分野】
【０００１】
本発明は、楽曲再生装置に関し、より特定的には、楽曲の楽曲パラメータを用いた検索結果をユーザに対して提示する楽曲再生装置に関する。
【背景技術】
【０００２】
従来の技術の一例として、一般的なカーオーディオシステムに搭載されているＣＤプレーヤ等の楽曲再生装置における楽曲の聴取形態を図６を用いて説明する（従来例１）。
【０００３】
図６において、楽曲再生装置は、音楽ソース格納部９１、音楽ソース再生部９２、再生曲制御部９３、および再生曲指示部９４を備えている。音楽ソース格納部９１は、例えばオーディオＣＤとして実現され、楽曲のデータ（音楽ソース）を格納している。音楽ソース再生部９２は、音楽ソース格納部９１に格納されている楽曲を再生する。再生曲制御部９３は、音楽ソース再生部の再生を制御する。再生曲指示部９４は、ボタン等の入力装置を含み、ユーザの入力操作に従って再生曲を再生曲制御部９３に指示する。
【０００４】
音楽ソース格納部９１に格納された音楽ソースをユーザが聴取する場合、ユーザは、予め定められた曲順で各楽曲を聴取することが一般的である。すなわち、音楽ソース格納部９１に格納された楽曲が再生される場合、音楽ソース再生部９２は、通常、格納時に記録されている曲順、例えばオーディオＣＤの曲順に従って当該楽曲を再生する。または、ユーザによって予め指定された曲順に従って当該楽曲を再生する。
【０００５】
また、現在再生中の楽曲をユーザが気に入らない場合、ユーザは、再生中の楽曲をスキップする操作や、自分が聞きたい楽曲の曲順を指定する操作を行うことによって自分の嗜好に合った楽曲を再生させることができる。すなわち、再生曲指示部９４は、再生中の楽曲をスキップする旨の入力指示をユーザから受け付け、当該楽曲の再生を停止して次の曲順の楽曲を再生する旨を再生曲制御部９３に指示する。または、再生曲指示部９４は、任意の曲順を示す曲番号の入力指示をユーザから受け付け、再生中の楽曲の再生を停止して当該曲番号の楽曲を再生する旨を再生曲制御部９３に指示する。このように、ユーザは、現在聴取している楽曲が気に入らない場合、上記のような操作を行うことによって自分の嗜好に合致するような楽曲を選曲する必要がある。
【０００６】
また、従来の技術の他の例として、次のような楽曲再生装置も考えられている（従来例２）（例えば、特許文献１参照）。すなわち、従来例２の楽曲再生装置においては、ユーザは、現在再生中の楽曲が自分の好みかどうかを設定することができる。楽曲再生装置は、ユーザによる設定を反映させて楽曲の再生を行う。例えば、ユーザが自分の好みであると設定した楽曲のみを再生する。従来例２の楽曲再生装置によれば、ユーザは、予め設定しておくことによって自分の好みの楽曲のみを自動的に再生することができる。
【０００７】
ここで、近年においては、近年、大容量の記憶装置を有する情報処理装置が普及しており、また、音楽データの圧縮技術も進歩していることから、楽曲再生装置においても多数の楽曲のデータを格納しておくことが可能となっている。
【特許文献１】特開平１１−３０６７４０号公報
【発明の開示】
【発明が解決しようとする課題】
【０００８】
しかし、多数の楽曲のデータを格納する楽曲再生装置において従来例１の方法を用いると、多数の楽曲から好みの楽曲を選出する作業がユーザにとって非常に負担となる。なぜなら、格納されている多数の楽曲に対してユーザが曲順を決める作業はユーザにとって非常に面倒だからであり、また、格納されている曲順で再生するとしても、多数の楽曲に対してスキップ操作や曲番号を指定する操作を行う作業はユーザにとって非常に面倒だからである。
【０００９】
ここで、従来例２の楽曲再生装置においては、ユーザの好みの曲のみを自動的に再生することが可能である。しかし、多数の楽曲のデータを格納する楽曲再生装置において従来例２の方法を用いても、ユーザの負担を軽減することはできない。なぜなら、従来例２の楽曲再生装置においては、好みの曲であるかどうかをユーザ自身が予め設定しなければならないからである。つまり、再生すべき全ての楽曲について予め設定することが必要となるので、ユーザの負担が大きくなる。また、ユーザの楽曲の好み、すなわち、ユーザがどのような楽曲を再生したいのかは、そのときの状況や環境に応じて変化するものである。しかし、従来例２の楽曲再生装置においては、ユーザの楽曲の好みが変わる度にユーザが再設定を行わなければならず、ユーザの負担が大きい。
【００１０】
そこで、本発明は、ユーザの煩雑な操作なしで、その時のユーザの気分に応じた楽曲を再生することができる楽曲再生装置および方法を提供することを目的とする。
【課題を解決するための手段】
【００１１】
本発明は、上記課題を解決するために以下の構成を有する。すなわち、第１の発明は、表示装置を有し、楽曲を再生する楽曲再生装置である。楽曲再生装置は、楽曲データ格納部と、パラメータ格納部と、再生部と、候補曲特定部と、表示制御部と、再生制御部とを備えている。楽曲データ格納部は、複数の楽曲のデータを格納する。パラメータ格納部は、楽曲の特徴を数量化して１以上の因子で表現した楽曲パラメータを、楽曲データ格納部にデータが格納されている各楽曲毎に格納する。再生部は、楽曲データ格納部に格納されている楽曲のデータを再生する。候補曲特定部は、楽曲データ格納部にデータが格納されている各楽曲のうち、楽曲パラメータに含まれる第１因子の値が再生中の楽曲の第１因子の値よりも大きい楽曲を第１候補曲として特定するとともに、当該各楽曲のうち、第１因子の値が再生中の楽曲の第１因子の値よりも小さい楽曲を第２候補曲として特定する。表示制御部は、再生部によって楽曲のデータが再生されている場合、第１候補曲に関する楽曲情報を、表示装置の画面上における基準位置から所定の第１方向に表示させるとともに、第２候補曲に関する楽曲情報を、第１方向の逆方向である第２方向に表示させる。再生制御部は、表示装置に表示されている楽曲情報により示される楽曲を指定する入力をユーザから受け付けると、指定された楽曲を再生部が再生するように制御する。
【００１２】
また、第２の発明では、候補曲特定部は、楽曲データ格納部にデータが格納されている各楽曲のうち、楽曲パラメータに含まれる因子であって第１因子と異なる第２因子の値が再生中の楽曲の第２因子の値よりも大きい楽曲を第３候補曲として特定するとともに、当該各楽曲のうち、第２因子の値が再生中の楽曲の第２因子の値よりも小さい楽曲を第４候補曲として特定してもよい。このとき、表示制御部は、再生部によって楽曲が再生されている場合、第３候補曲に関する楽曲情報を、第１および第２方向とは異なる第３方向に表示させるとともに、第４候補曲に関する楽曲情報を、第３方向の逆方向である第４方向に表示させる。
【００１３】
また、第３の発明では、候補曲特定部は、楽曲データ格納部にデータが格納されている各楽曲のうち、第１因子の値が所定値よりも大きい楽曲を第５候補曲として特定するとともに、当該各楽曲のうち、第１因子の値が所定値よりも小さい楽曲を第６候補曲として特定してもよい。このとき、表示制御部は、再生部によって楽曲のデータが再生されると、第５候補曲に関する楽曲情報を第１方向に表示させるとともに、第６候補曲に関する楽曲情報を第２方向に表示させる。
【００１４】
また、第４の発明では、候補曲特定部は、楽曲データ格納部にデータが格納されている各楽曲のうち、第１因子の値が第１所定値よりも大きく、かつ、楽曲パラメータに含まれる因子であって第１因子と異なる第２因子の値が第２所定値よりも大きい楽曲を第７候補曲として特定し、当該各楽曲のうち、第１因子の値が第１所定値よりも大きく、かつ、第２因子の値が第２所定値よりも小さい楽曲を第８候補曲として特定し、当該各楽曲のうち、第１因子の値が第１所定値よりも小さく、かつ、第２因子の値が第２所定値よりも大きい楽曲を第９候補曲として特定し、当該各楽曲のうち、第１因子の値が第１所定値よりも小さく、かつ、第２因子の値が第２所定値よりも小さい楽曲を第１０候補曲として特定するようにしてもよい。表示制御部は、再生部によって楽曲のデータが再生されると、第７候補曲に関する楽曲情報を第１方向に表示させるとともに、第１０候補曲に関する楽曲情報を第２方向に表示させ、第８候補曲に関する楽曲情報を第１および第２方向とは異なる第３方向に表示させるとともに、第９候補曲に関する楽曲情報を第３方向の逆方向である第４方向に表示させる。
【００１５】
また、第５の発明では、表示制御部は、再生部によって再生中の楽曲に関する楽曲情報を基準位置に表示させてもよい。
【００１６】
また、第６の発明では、候補曲特定部は、楽曲データ格納部にデータが格納されている各楽曲のうち、楽曲パラメータが再生中の楽曲に類似する楽曲を類似候補曲として楽曲パラメータを用いて特定してもよい。このとき、表示制御部は、類似候補曲に関する楽曲情報を基準位置の近傍に表示させる。
【００１７】
また、第７の発明では、候補曲特定部は、楽曲データ格納部にデータが格納されている各楽曲のうち、楽曲パラメータが再生中の楽曲に類似する楽曲を類似候補曲として楽曲パラメータを用いて特定してもよい。このとき、表示制御部は、類似候補曲に関する楽曲情報を基準位置に表示させる。
【００１８】
また、第８の発明では、楽曲再生装置は、楽曲パラメータの値によって区別される楽曲のタイプを示す情報を複数格納する楽曲タイプ格納部をさらに備えていてもよい。このとき、候補曲特定部は、楽曲タイプ格納部に格納されている情報に従って、複数のタイプのそれぞれに属する各楽曲を候補曲として特定する。表示制御部は、表示装置の画面上における基準位置から楽曲情報を表示させるべき位置までの方向を、楽曲パラメータの各因子を座標軸とする印象空間における所定位置から各候補曲の位置までの方向に関連付けて、当該各候補曲に関する楽曲情報を表示装置に表示させる。
【００１９】
また、第９の発明では、再生制御部は、表示装置に表示されている楽曲情報により示される楽曲の一部を再生するための入力を受け付け、当該入力を受け付けた場合、指定された楽曲の一部を再生部が再生するように制御するようにしてもよい。
【００２０】
また、第１０の発明では、第１因子は、聴者が賑やかな印象を受ける楽曲であるほど大きくなり、聴者が穏やかな印象を受ける楽曲であるほど小さくなるような数値で表されてよい。
【００２１】
なお、本発明は、上記楽曲再生装置において行われる楽曲再生方法として提供されてもよい。また、本発明は、上記楽曲再生装置のコンピュータにおいて実行されることによって楽曲再生装置に上記の機能を実現させるプログラムまたは当該プログラムを記録した記録媒体として提供されてもよい。
【発明の効果】
【００２２】
第１の発明によれば、複数のタイプの候補曲がユーザに提示され、ユーザは以降に再生する楽曲を当該候補曲から選択することができる。従って、ユーザは、選択操作のみでいろいろな楽曲を再生することができるので、その時のユーザの気分に応じた楽曲を簡易な操作で再生することができる。また、候補曲の楽曲情報は、楽曲パラメータの因子によって構成される印象空間における座標位置が表示画面上における位置に反映されるように表示される（図４参照。）。従って、ユーザは、候補曲の印象を一目で把握することができるので、候補曲の選出を容易に行うことができ、その時の気分に応じた楽曲の選曲をより的確に行うことができる。
【００２３】
また、第２の発明によれば、楽曲パラメータに含まれる少なくとも２つの因子について、印象空間における座標位置を反映させて楽曲情報が表示される。従って、楽曲情報は、印象空間における座標位置が２次元的に反映されて配置されるので、ユーザは、楽曲の特徴をより正確に把握することができる。
【００２４】
また、第３の発明によれば、第５および第６候補曲は、再生中の楽曲とは関連しない方法で特定されるので、よりバリエーションに富んだ候補曲をユーザに提示することができ、ユーザの選択肢を増やすことができる。
【００２５】
また、第４の発明によれば、再生中の楽曲とは関連しない方法で特定される候補曲についても、印象空間における座標位置が２次元的に反映されて楽曲情報が表示画面に表示される。従って、ユーザは、当該候補曲についても特徴をより正確に把握することができる。
【００２６】
また、第５の発明によれば、再生中の楽曲の楽曲情報を基準位置に表示することによって、候補曲と再生中の楽曲との関係がより把握しやすくなる。
【００２７】
また、第６および第７の発明によれば、類似曲を候補曲としてさらに提示することによって、よりバリエーションに富んだ候補曲をユーザに提示することができ、ユーザの選択肢を増やすことができる。
【００２８】
また、第８の発明によれば、複数のタイプの楽曲が候補曲としてユーザに提示される。さらに、印象空間における位置を反映させた画面上の位置に候補曲の楽曲情報が提示されるので、ユーザは、提示される種々のタイプの楽曲の印象を一目で把握することができる。
【００２９】
また、第９の発明によれば、候補曲を試聴する機会がユーザに与えられるので、ユーザは、候補曲の内容をより的確に把握し、候補曲が自分の所望の楽曲であるか否かをより的確に判断することができる。
【発明を実施するための最良の形態】
【００３０】
（第１の実施の形態）
図１は、本発明の第１の実施の形態に係る楽曲再生装置の構成を示すブロック図である。図１において、楽曲再生装置は、楽曲データ格納部１、パラメータ算出部２、パラメータ格納部３、再生部４、再生制御部５、候補曲特定部６、楽曲タイプ格納部７、表示制御部８、入力部９、表示部１０、および楽曲情報格納部１１を備えている。この楽曲再生装置は、入力装置および表示装置を有し、かつ、ＣＰＵが所定のプログラムを実行することによって図１に示す機能を実現する機器によって実現される。また、この楽曲再生装置は、例えばカーオーディオシステムとして利用される。
【００３１】
楽曲データ格納部１は、再生可能な楽曲のデータ（オーディオ信号）を格納している。楽曲データ格納部１は、再生部４からの要求があると、その要求に応じて楽曲のデータの一部または全部を再生部４へ出力する。楽曲データ格納部１は、例えばＣＤやＨＤＤ（ハードディスクドライブ）や半導体メモリ等の記録媒体によって実現される。なお、図１に示す楽曲再生装置においては、楽曲データ格納部１にデータが格納されている楽曲には、楽曲毎にＩＤ番号が一意に設定されている。楽曲再生装置の各構成要素間における楽曲を指定する指示は、このＩＤ番号を用いて行われるものとする。
【００３２】
パラメータ算出部２は、楽曲データ格納部１にデータが格納されている各楽曲について、楽曲パラメータを算出する。楽曲パラメータとは、楽曲の特徴を数量化して表した数値である。具体的には、楽曲パラメータは、楽曲のテンポやビート等の音楽的な特徴量であってもよいし、楽曲に対して聴者が受ける印象（例えば、賑やかさや明るさ等）を数量化した印象値であってもよい。なお、楽曲パラメータの算出方法はどのような方法であってもよい。楽曲パラメータの算出方法としては、例えば、特開２００２−２７８５４７号公報に記載の方法がある。
【００３３】
第１の実施の形態においては、楽曲パラメータは、情動因子および能動因子という、２つの因子で表現される。情動因子および能動因子はともに、楽曲に対して聴者が受ける印象を数量化した印象値である。情動因子は、楽曲が人間的である（換言すれば、自然な印象を与える）ことを表す尺度である。すなわち、情動因子の値が大きい楽曲は、人間的な印象を聴者に与える楽曲であり、情動因子の値が小さい楽曲は、機械的な（換言すれば、人工的な）印象を聴者に与える楽曲である。一方、能動因子は、楽曲の賑やかさを表す尺度である。すなわち、能動因子の値が大きい楽曲は、賑やかな印象を聴者に与える楽曲であり、能動因子の値が小さい楽曲は、穏やかな印象を聴者に与える楽曲である。なお、これら情動因子および能動因子は、上記特開２００２−２７８５４７号公報に記載の方法によって楽曲のデータから算出することができる。
【００３４】
以上のように、第１の実施の形態における楽曲パラメータは、２つの因子で表現される。つまり、第１の実施の形態における楽曲パラメータは、２次元のベクトル量として表現される。従って、第１の実施の形態では、楽曲データ格納部１にデータが格納されている各楽曲は、楽曲パラメータの２つの因子のうちの情動因子をＸ軸とし、能動因子をＹ軸とする平面（「印象空間」と呼ぶ）上の点として表される。図２は、印象空間の一例を示す図である。例えば、情動因子が“２”であり、能動因子が“−１”である楽曲は、図２に示す印象空間上の座標（２，−１）の点２０として表される。図２は、楽曲データ格納部１にデータが格納されている各楽曲を印象空間上の点で表した図である。図２において右側（Ｘ軸の正の方向）に位置する点ほど情動的、すなわち人間的な印象を表す楽曲であることを意味する。また、図２において上側（Ｙ軸の正の方向）に位置する点ほど能動的、すなわち賑やかな印象を表す楽曲であることを意味する。また、印象空間上の距離は楽曲の印象の類似度を表しており、印象空間上の点が近接している楽曲同士は、互いに類似している楽曲であると言える。
【００３５】
また、パラメータ算出部２は、楽曲データ格納部１に楽曲のデータが格納されると、適宜のタイミングで当該楽曲のデータを読み出す。さらに、読み出したデータに基づいて楽曲パラメータを算出する。算出された楽曲パラメータは、パラメータ格納部３へ出力される。
【００３６】
パラメータ格納部３は、パラメータ算出部２によって算出された楽曲パラメータを格納する。パラメータ格納部３は、楽曲データ格納部１にデータが格納されている楽曲のそれぞれについて、楽曲パラメータを格納している。なお、楽曲データ格納部１に格納されている各楽曲のデータと、パラメータ格納部３に格納されている各楽曲の楽曲パラメータとの対応付けは、上記ＩＤ番号を用いることによって行われる。つまり、パラメータ格納部３は、楽曲パラメータをＩＤ番号と対応付けて格納している。また、パラメータ格納部３に格納されている楽曲パラメータは、候補曲特定部６からの要求に応じて候補曲特定部６へ出力される。
【００３７】
楽曲情報格納部１１は、楽曲データ格納部１にデータが格納されている楽曲のそれぞれについて、楽曲情報を格納している。楽曲情報とは、楽曲に関連する情報であり、例えば、楽曲の曲名や、アーティスト名や、楽曲が収録されたアルバムのジャケットの画像等である。楽曲情報は上記ＩＤ番号と対応付けて格納されている。また、楽曲情報格納部１１に格納されている楽曲情報は、候補曲特定部６からの要求に応じて候補曲特定部６へ出力される。
【００３８】
候補曲特定部６は、再生部４によって楽曲のデータが再生されている場合、楽曲データ格納部１にデータが格納されている楽曲の中から、次に再生する候補となる楽曲（候補曲）を特定する。候補曲は、少なくとも２つ以上の候補曲が特定される。第１の実施形態では、候補曲特定部６は、７つのタイプの楽曲を候補曲として特定するものとする。なお、候補曲として特定される楽曲のタイプは、楽曲タイプ格納部７に格納されている選曲パターン情報によって決められている。選曲パターン情報は、楽曲のタイプを示す情報である。なお、楽曲がどの楽曲のタイプに属するかは、その楽曲の楽曲パラメータの値によって判断される。また、候補曲特定部６は、候補曲を特定する際、パラメータ格納部３に格納されている各楽曲の楽曲パラメータを取得し、取得した楽曲パラメータを用いて候補曲を特定する。さらに、候補曲特定部６は、特定した候補曲の各楽曲情報を楽曲情報格納部１１から取得し、取得した楽曲情報を表示制御部８へ出力する。また、候補曲特定部６によって特定された候補曲の各ＩＤ番号は、候補曲リストとして再生制御部５へ出力される。
【００３９】
楽曲タイプ格納部７は、上記選曲パターン情報を格納している。この選曲パターン情報は、楽曲再生装置の製造者側で予め設定されたものであってもよいし、ユーザによって予め設定されたものであってもよい。楽曲タイプ格納部７に格納されている選曲パターン情報は、候補曲特定部６からの要求に応じて候補曲特定部６へ出力される。
【００４０】
表示制御部８は、候補曲特定部６から出力された各楽曲情報を、画面上において所定の配置となるように表示部１０に表示させる。所定の配置の詳細については後述する（図４参照）。なお、表示部１０は、例えばＣＲＴ等の表示装置によって構成される。
【００４１】
入力部９は、例えばボタンやタッチパネルやキーボード等の入力装置によって構成される。入力部９は、表示部１０に表示されている楽曲情報により示される楽曲のうちの１つを指定する入力をユーザから受け付ける。当該入力をユーザから受け付けると、入力部９は、ユーザによって指定された楽曲を示す情報を再生制御部５へ出力する。
【００４２】
再生制御部５は、入力部９においてユーザによって指定された楽曲を再生する指示を再生部４に対して行う。具体的には、再生制御部５は、入力部９から出力された楽曲を示す情報や候補曲特定部６から出力された候補曲リストに基づいて、再生すべき楽曲を特定し、当該楽曲のＩＤ番号を再生部４へ出力する。また、再生制御部５は、再生部４によって再生される楽曲を候補曲特定部６へ通知する。すなわち、再生制御部５は、再生すべき楽曲として特定した楽曲のＩＤ番号を候補曲特定部６へ出力する。
【００４３】
再生部４は、再生制御部５からの指示に応じて、楽曲データ格納部１に格納されている楽曲のデータを取得する。具体的には、再生部４は、再生制御部５から出力されたＩＤ番号により示される楽曲のデータを楽曲データ格納部１から取得する。さらに、再生部４は、取得した楽曲のデータの一部または全部を再生する。
【００４４】
図１に示した構成によって、楽曲再生装置は、楽曲のデータが再生されると、複数の候補曲をユーザに対して提示することができる。ユーザは、複数の候補曲の中から次に再生する楽曲を指定することができるので、楽曲データ格納部１にデータが格納されている全ての楽曲の中から好みの曲を選ばなくとも、次に再生したい楽曲を容易に選ぶことができる。さらに、楽曲再生装置においては、種々のタイプの楽曲が候補曲として提示されるとともに、各候補曲は、各候補曲の大まかな印象が一目でわかるようにユーザに対して提示される。以下、図１のように構成された楽曲再生装置の詳細な動作を説明する。
【００４５】
図３は、候補曲特定部６における処理の流れを示すフローチャートである。なお、図１に示す楽曲再生装置においては、ユーザによる操作が特にない場合、再生制御部５は、所定の順序で楽曲を再生するように再生部４を制御するものとする。所定の順序とは、どのような順番であってもよく、例えばＣＤに収録されている順番であってもよいし、予めユーザによって定められた順番であってもよい。ここで、再生制御部５は、新たな楽曲のデータの再生を開始する度に、再生を開始する楽曲のＩＤ番号を候補曲特定部６へ出力する。図２に示す処理は、再生制御部５から楽曲のＩＤ番号が候補曲特定部６へ出力されたことによって開始される。
【００４６】
図３において、まず、ステップＳ１において、候補曲特定部６は、再生部４によって再生される楽曲に関する通知を受け取る。すなわち、再生部４によって再生される楽曲のＩＤ番号を再生制御部５から受け取る。続くステップＳ２において、候補曲特定部６は、再生部４によって再生される楽曲の楽曲パラメータおよび楽曲情報を取得する。すなわち、候補曲特定部６は、再生制御部５から受け取ったＩＤ番号をパラメータ格納部３へ通知することによって、当該ＩＤ番号により示される楽曲の楽曲パラメータをパラメータ格納部３から取得する。また、候補曲特定部６は、再生制御部５から受け取ったＩＤ番号を楽曲情報格納部１１へ通知することによって、当該ＩＤ番号により示される楽曲の楽曲情報を楽曲情報格納部１１から取得する。
【００４７】
次に、ステップＳ３において、候補曲特定部６は、楽曲タイプ格納部７に格納されている選曲パターン情報を取得する。第１の実施の形態においては、選曲パターン情報は、以下に示すタイプ１〜タイプ７からなる選曲パターンを示す。
タイプ１：再生中の楽曲（以下、「再生曲」と呼ぶ。）と印象が類似する楽曲（類似曲）（２曲）
タイプ２：再生曲より少し賑やかな楽曲（１曲）
タイプ３：再生曲より少し穏やかな楽曲（１曲）
タイプ４：賑やかで人間的な楽曲（１曲）
タイプ５：賑やかで機械的な楽曲（１曲）
タイプ６：穏やかで機械的な楽曲（１曲）
タイプ７：穏やかで人間的な楽曲（１曲）
【００４８】
ステップＳ３で選曲パターン情報を取得すると、候補曲特定部６は、ステップＳ４〜ステップＳ７のループにおいて、選曲パターンに含まれる各タイプ毎に候補曲を特定する。具体的には、まず、ステップＳ４において、候補曲特定部６は、１つのタイプについて候補曲を指定する。ステップＳ４においては、ステップＳ４〜ステップＳ７のループにおいてまだ指定されていないタイプが指定される。続くステップＳ５において、候補曲特定部６は、ステップＳ４において指定したタイプについて、パラメータ格納部３に格納されている楽曲パラメータを用いて候補曲を特定する。ここで、候補曲を特定する方法は、各タイプによって異なる。以下、候補曲を特定する方法を各タイプ毎に説明する。
【００４９】
まず、タイプ１の候補曲は、再生曲と印象が類似する楽曲（以下、「類似曲」と呼ぶ。）である。類似曲とは、印象空間上における座標が再生曲の座標に近い位置にある楽曲である。従って、第１の実施の形態では、印象空間上における距離が再生曲に最も近い２つの楽曲が、類似曲として特定される。すなわち、ステップＳ５において、候補曲特定部６はパラメータ格納部３に格納されている各楽曲パラメータを取得する。そして、ステップＳ２で取得した再生曲の楽曲パラメータと当該各楽曲パラメータとを比較し、類似曲を特定する。なお、図２の例では、再生曲の座標を示す点２１に対して、点２２および点２３により示される楽曲がタイプ１の候補曲として特定される。
【００５０】
なお、候補曲特定部６は、タイプ１の候補曲を特定する際、印象空間上における距離が再生曲から所定距離内である楽曲の中からランダムに選出するようにしてもよい。これによれば、タイプ１の候補曲として特定される楽曲が、再生曲が変化する毎に変化することとなる。
【００５１】
次に、タイプ２の候補曲は、再生曲より少し賑やかな楽曲である。再生曲より少し賑やかな楽曲とは、情動因子の値が再生曲よりも少し大きい楽曲、すなわち、印象空間上における座標が再生曲の座標よりもやや上方向（Ｘ軸の正方向）に位置する楽曲である。タイプ２の候補曲の具体的な特定方法は、楽曲パラメータを用いて行う方法であればどのような方法であってもよいが、例えば次の方法が考えられる。すなわち、タイプ２の候補曲は、例えば、情動因子の値が再生曲よりも大きく、かつ、再生曲の情動因子との差が所定範囲内となることを条件として、当該条件を満たす楽曲の中からランダムに決定される。このとき、当該条件に加えて、再生曲の能動因子の値との差が所定範囲内となる楽曲であることを条件としてもよい。また、当該楽曲は、情動因子の値が再生曲よりも大きく、かつ、再生曲の情動因子との差が最小となる楽曲に決定されてもよい。なお、図２の例では、再生曲の座標を示す点２１に対して、点２４により示される楽曲がタイプ２の候補曲として特定される。
【００５２】
また、タイプ３の候補曲は、再生曲より少し穏やかな楽曲である。再生曲より少し穏やかな楽曲とは、情動因子の値が再生曲よりも少し小さい楽曲、すなわち、印象空間上における座標が再生曲の座標よりもやや下方向（Ｘ軸の負方向）に位置する楽曲である。タイプ３の候補曲の特定方法は、タイプ２の候補曲の特定方法に準ずる。なお、図２の例では、再生曲の座標を示す点２１に対して、点２５により示される楽曲がタイプ３の候補曲として特定される。
【００５３】
次に、タイプ４の候補曲は、賑やかで人間的な楽曲である。賑やかで人間的な楽曲とは、印象空間上の第１象限に位置する楽曲である。例えばロック調の楽曲が第１象限に属する。具体的には、候補曲特定部６は、タイプ４の候補曲を、印象空間上の第１象限に位置する楽曲の中からランダムに決定する。また、タイプ５の候補曲、すなわち、賑やかで機械的な楽曲とは、印象空間上の第２象限に位置する曲である。例えばダンス調の楽曲が第２象限に属する。候補曲特定部６は、タイプ５の候補曲を、印象空間上の第２象限に位置する楽曲の中からランダムに決定する。また、タイプ６の候補曲、すなわち、穏やかで機械的な楽曲とは、印象空間上の第３象限に位置する曲である。例えばＲ＆Ｂ調の楽曲が第３象限に属する。候補曲特定部６は、タイプ６の候補曲を、印象空間上の第３象限に位置する楽曲の中からランダムに決定する。また、タイプ７の候補曲、すなわち、穏やかで人間的な楽曲とは、印象空間上の第４象限に位置する曲である。例えばバラード調の楽曲が第４象限に属する。候補曲特定部６は、タイプ７の候補曲を、印象空間上の第４象限に位置する楽曲の中からランダムに決定する。なお、図２の例では、点２６により示される楽曲がタイプ４の候補曲として特定され、点２７により示される楽曲がタイプ５の候補曲として特定され、点２８により示される楽曲がタイプ６の候補曲として特定され、点２９により示される楽曲がタイプ７の候補曲として特定される。タイプ１〜タイプ３の候補曲は、再生曲の楽曲パラメータに関連して特定されるのに対して、タイプ４〜タイプ７の候補曲は、再生曲の楽曲パラメータとは無関係に特定される。
【００５４】
ステップＳ５においてタイプ１〜タイプ７のいずれかのタイプの候補曲が特定されると、ステップＳ６において、候補曲特定部６は、特定された候補曲の楽曲情報を楽曲情報格納部１１から取得する。さらに、ステップＳ７において、候補曲特定部６は、全てのタイプ（第１の実施の形態では、タイプ１〜タイプ７）の候補曲を特定したか否かを判定する。ステップＳ７の判定において、全てのタイプの候補曲を特定したと判定された場合、候補曲特定部６は、ステップＳ８の処理を行う。一方、ステップＳ７の判定において、少なくとも１つのタイプの候補曲を特定していないと判定された場合、候補曲特定部６は、ステップＳ４の処理を行う。以降、全てのタイプの候補曲を特定するまで、ステップＳ４〜ステップＳ７の処理が繰り返される。
【００５５】
ステップＳ８においては、候補曲特定部６は、各候補曲の楽曲情報、および、再生曲の楽曲情報を表示部８に表示させる。すなわち、候補曲特定部６は、ステップＳ６で取得した各楽曲情報、および、ステップＳ２で取得した楽曲情報を表示制御部８へ出力する。このとき、候補曲特定部６は、楽曲情報とそれを表示すべき画面上の位置を示す情報（位置情報）とを各楽曲情報毎に対応付けて出力する。なお、再生曲の楽曲情報に対応付けられる位置情報は、予め定められており、各候補曲の楽曲情報に対応付けられる位置情報は、タイプ毎に予め定められている。つまり、各タイプの候補曲として特定された楽曲情報は、タイプ毎に予め定められた位置に表示されることとなる。ステップＳ８の後、候補曲特定部６は、次に新たな楽曲の再生が開始されるまで待機する。そして、新たな楽曲の再生が再生部４によって開始されると、ステップＳ１〜Ｓ８の処理が再度行われる。
【００５６】
図３に示した候補曲特定部６の動作によって、各タイプの候補曲の楽曲情報が表示制御部８へ出力される。表示制御部８は、候補曲特定部６から出力された各楽曲情報を表示部１０に表示させる。ここで、各楽曲情報は、上記位置情報により示される位置に表示される。以下、候補曲の楽曲情報が表示される表示画面を図４を用いて詳細に説明する。
【００５７】
図４は、第１の実施の形態における候補曲の表示画面の例を示す図である。図４において、表示画面３０には、再生曲の楽曲情報３１、および、各候補曲の楽曲情報３２〜３９が表示されている。なお、図４においては、楽曲の曲名とアーティスト名（歌手名）とが楽曲情報として画面に表示されるが、楽曲情報は楽曲を識別することができる情報であればどのようなものであってもよく、例えば、楽曲が収録されたＣＤパッケージのジャケット写真であってもよい。
【００５８】
図４において、再生曲の楽曲情報３１は、画面のほぼ中央に表示される。タイプ１（類似曲）の候補曲の楽曲情報３２および３３は、楽曲情報３１の近傍に表示される。図４においては、楽曲情報３２および３３は、楽曲情報３１の両側に表示される。図４に示すように、楽曲情報３２および３３を再生曲の楽曲情報３１の近傍に表示することによって、楽曲情報３２および３３により示される楽曲が再生曲に類似する楽曲であることをユーザに直感的に知らせることができる。つまり、ユーザは、楽曲情報３２および３３により示される楽曲が再生曲に類似する楽曲であることを一目で認識することができる。
【００５９】
また、図４において、タイプ２の候補曲の楽曲情報３４は、楽曲情報３１の上側に表示される。一方、タイプ３の候補曲の楽曲情報３５は、楽曲情報３１の下側に表示される。ここで、タイプ２の候補曲は、情動因子が再生曲よりも大きい楽曲であり、タイプ３の候補曲は、情動因子が再生曲よりも小さい楽曲である。つまり、図４においては、情動因子が再生曲よりも大きい楽曲の楽曲情報が再生曲の楽曲情報３１の上方向に表示され、情動因子が再生曲よりも小さい楽曲の楽曲情報が再生曲の楽曲情報３１の下方向に表示される。このように、候補曲の楽曲情報は、表示装置の画面上における基準位置から楽曲情報を表示させるべき位置までの方向が、印象空間における所定位置から各候補曲の位置までの方向に関連付けられるように表示される。楽曲パラメータの各因子の大きさに応じた位置に楽曲情報を表示することによって、当該楽曲情報により示される楽曲の印象をユーザに直感的に認識させることができる。つまり、ユーザは、楽曲情報により示される楽曲が再生曲と比較してどのような印象の楽曲であるかを、当該楽曲情報の表示位置によって直感的に認識することができる。
【００６０】
また、第１の実施の形態においては、タイプ２および３の候補曲に加えてタイプ４〜７の候補曲の楽曲情報についても、表示装置の画面上における基準位置から楽曲情報を表示させるべき位置までの方向が、印象空間における所定位置から各候補曲の位置までの方向に関連付けられるように表示される。すなわち、図４において、タイプ４の候補曲の楽曲情報３６は、楽曲情報３１の右上方向、換言すれば、画面３０の右上部分に表示される。タイプ５の候補曲の楽曲情報３７は、楽曲情報３１の左上方向に表示され、タイプ６の候補曲の楽曲情報３８は、楽曲情報３１の左下方向に表示され、タイプ７の候補曲の楽曲情報３９は、楽曲情報３１の右下方向に表示される。ここで、タイプ４およびタイプ５の候補曲は、タイプ６およびタイプ７の候補曲よりも情動因子が大きい楽曲である。従って、図４においては、情動因子が相対的に大きい楽曲が画面の上側に表示されることとなる。逆に、情動因子が相対的に小さい楽曲が画面の下側に表示されることとなる。また、タイプ４およびタイプ７の候補曲は、タイプ５およびタイプ６の候補曲よりも能動因子が大きい楽曲である。従って、図４においては、能動因子が相対的に大きい楽曲が画面の右側に表示されることとなり、逆に、能動因子が相対的に小さい楽曲が画面の左側に表示されることとなる。
【００６１】
図４に示す表示画面において楽曲情報が表示されている楽曲の中から、再生したい楽曲をユーザが選択する場合を考える。例えば情動因子が小さい楽曲、すなわち、機械的な楽曲を再生したい場合、ユーザは、楽曲情報が画面の左側に表示されている楽曲を選択すればよい。また、例えば能動因子が大きい楽曲、すなわち、賑やかな楽曲を再生したい場合、ユーザは、楽曲情報が画面の上側に表示されている楽曲を選択すればよい。図４のように、楽曲の印象に応じた位置で楽曲情報を表示することによって、楽曲情報が表示されている楽曲の印象がユーザにとって非常に分かり易くなる。
【００６２】
ユーザは図４に示す表示画面を見て、表示されている候補曲が聴きたくなった場合は入力部９を用いて所望の候補曲の再生を指示する。例えば、入力部９が表示部１０の表示画面を覆うタッチパネルである場合、ユーザが再生を希望する候補曲を示す楽曲情報に触れることによって、再生する候補曲を指定することができる。
【００６３】
再生制御部５は、入力部９から再生する楽曲の指示を受けると、その楽曲を再生するように再生部４を制御する。これによって、再生部４は当該楽曲のデータを再生を開始する。なお、このとき、再生制御部５は、再生が開始された楽曲のＩＤ番号を候補曲特定部６に出力する。これによって、新たな候補曲がユーザに対して提示されることとなる。なお、再生制御部５は、入力部９から再生する楽曲の指示を受け取った場合、再生曲を停止して当該楽曲の再生を開始してもよいし、再生曲が終了してから当該楽曲の再生を開始してもよい。
【００６４】
以上のように、第１の実施の形態によれば、楽曲データ格納部１にデータが格納された楽曲の中から楽曲パラメータを用いて選出された候補曲がユーザに対して提示される。ここで、候補曲の楽曲情報は、印象空間における座標位置が表示画面上における位置に反映されて表示される（図４参照。）。従って、ユーザは、候補曲の印象を一目で把握することができるので、候補曲の選出を容易に行うことができる。
【００６５】
また、第１の実施の形態によれば、楽曲の再生が新たに開始される度に候補曲がユーザに対して提示される。従って、ユーザは、楽曲の再生中に、次に聴きたい楽曲を常に選択することができる。
【００６６】
（第２の実施の形態）
次に、本発明の第２の実施の形態に係る楽曲再生装置について説明する。第２の実施の形態に係る楽曲再生装置の構成および動作は図１に示す構成および動作と同様である。ただし、第２の実施の形態に係る楽曲再生装置においては、楽曲パラメータは３つの因子によって構成されるものとする。また、第２の実施の形態においては、候補曲としてユーザに提示されるタイプが第１の実施の形態と異なるものとする。
【００６７】
第２の実施の形態においては、楽曲パラメータは、上記情動因子および能動因子に加えて、明暗因子を含んでいる。明暗因子は、情動因子および能動因子と同様、楽曲に対して聴者が受ける印象を数量化した印象値である。明暗因子は、楽曲の明るさ（暗さ）を表す尺度である。すなわち、明暗因子の値が大きい楽曲は、明るい印象を聴者に与える楽曲であり、明暗因子の値が小さい楽曲は、暗い印象を聴者に与える楽曲である。
【００６８】
第２の実施の形態においては、楽曲パラメータは、３次元のベクトル量として表現される。従って、第２の実施の形態では、従って、第２の実施の形態では、楽曲データ格納部１にデータが格納されている各楽曲は、楽曲パラメータの２つの因子のうちの情動因子をＸ軸とし、能動因子をＹ軸とし、明暗因子をＺ軸とする印象空間上の点として表される。図５は、第２の実施の形態における印象空間の一例を示す図である。図５に示すように、第２の実施の形態においては、印象空間は３次元空間となり、各楽曲は３次元空間内における点として表される。なお、図５では、図面の理解を容易にする目的で、再生曲の座標、および、候補曲として特定される楽曲の座標を示す点のみを示している。
【００６９】
また、第２の実施の形態においては、楽曲タイプ格納部７に格納されているパターン情報は、以下のタイプ１１〜タイプ１８からなる選曲パターンを示す。
タイプ１１：再生曲より少し賑やかな楽曲（１曲）
タイプ１２：再生曲より少し穏やかな楽曲（１曲）
タイプ１３：再生曲より少し明るい楽曲（１曲）
タイプ１４：再生曲より少し暗い楽曲（１曲）
タイプ１５：賑やかで明るい楽曲（１曲）
タイプ１６：賑やかで暗い楽曲（１曲）
タイプ１７：穏やかで暗い楽曲（１曲）
タイプ１８：穏やかで明るい楽曲（１曲）
【００７０】
第２の実施の形態において、タイプ１１は上記タイプ２と同じであり、タイプ１２は上記タイプ３と同じである。なお、図５の例では、再生曲の座標を示す点５１に対して、点５２により示される楽曲がタイプ１１の候補曲として特定され、点５３により示される楽曲がタイプ１２の候補曲として特定される。
【００７１】
タイプ１３の候補曲、すなわち、再生曲よりも少し明るい楽曲とは、明暗因子の値が再生曲よりも少し大きい楽曲、すなわち、印象空間上における座標が再生曲の座標よりもＺ軸のやや正方向に位置する楽曲である。また、タイプ１４の候補曲、すなわち、再生曲よりも少し暗い楽曲とは、明暗因子の値が再生曲よりも少し小さい楽曲、すなわち、印象空間上における座標が再生曲の座標よりもＺ軸のやや負方向に位置する楽曲である。タイプ１３およびタイプ１４の候補曲の特定は、タイプ２およびタイプ３の候補曲の特定方法と同様の方法で行うことができる。なお、図５の例では、再生曲の座標を示す点５１に対して、点５４により示される楽曲がタイプ１３の候補曲として特定され、点５５により示される楽曲がタイプ１４の候補曲として特定される。
【００７２】
また、タイプ１５の候補曲、すなわち、賑やかで明るい楽曲とは、印象空間におけるＹ−Ｚ平面上の第１象限に位置する楽曲である。タイプ１５の候補曲としては、例えばさわやか系（さわやかな印象を聴者に与える）の楽曲が該当する。タイプ１５の候補曲を特定する際、候補曲特定部６は、印象空間におけるＹ−Ｚ平面上の第１象限に位置する楽曲の中から当該候補曲をランダムに決定する。また、タイプ１６の候補曲、すなわち、賑やかで暗い楽曲とは、印象空間におけるＹ−Ｚ平面上の第２象限に位置する楽曲である。タイプ１６の候補曲としては、例えばベビーメタル系の楽曲が該当する。タイプ１７の候補曲、すなわち、穏やかで暗い楽曲とは、印象空間におけるＹ−Ｚ平面上の第３象限に位置する楽曲である。タイプ１７の候補曲としては、例えば暗いバラード系の楽曲が該当する。タイプ１８の候補曲、すなわち、穏やかで明るい楽曲とは、印象空間におけるＹ−Ｚ平面上の第４象限に位置する楽曲である。タイプ１８の候補曲としては、例えば明るいバラード系の楽曲が該当する。タイプ１６〜タイプ１８の候補曲の具体的な特定方法は、タイプ１５の候補曲の特定方法に準ずる。なお、図５の例では、点５６により示される楽曲がタイプ１５の候補曲として特定され、点５７により示される楽曲がタイプ１６の候補曲として特定され、点５８により示される楽曲がタイプ１７の候補曲として特定され、点５９により示される楽曲がタイプ１８の候補曲として特定される。
【００７３】
なお、第２の実施の形態における候補曲の表示画面は、図４と同様である。すなわち、第２の実施の形態においては、表示画面３０には、再生曲の楽曲情報３１、および、各候補曲の楽曲情報３２〜３９が表示される。ここで、楽曲情報３２〜３９は、順にタイプ１１〜１８の候補曲の楽曲情報である。第２の実施の形態においても、第１の実施の形態と同様、楽曲情報３２〜３９は、楽曲の印象空間における位置を反映した位置、すなわち、楽曲の印象に応じた位置となるように画面３０に表示される。すなわち、賑やかな候補曲は画面の上側に表示され、穏やかな候補曲は画面の下側に表示される。また、明るい候補曲は画面の右側に表示され、暗い候補曲は画面の左側に表示される。
【００７４】
なお、第２の実施の形態においては、さらに類似曲を候補曲として画面３０に表示させるようにしてもよい。例えば、再生中の楽曲に代えて類似曲の候補曲の楽曲情報を画面の中央位置に表示するようにしてもよい。つまり、楽曲情報３１は、類似曲の候補曲の楽曲情報であってもよい。
【００７５】
第２の実施の形態において示したように、本発明は、楽曲パラメータの因子が３つ以上である場合にも適用することが可能である。すなわち、第２の実施の形態においては、楽曲パラメータに含まれる２つの因子（能動因子および明暗因子）に着目することによって、当該２つの因子の印象空間における位置関係を反映させた表示画面上の位置に楽曲情報を表示することができる。なお、楽曲パラメータの次数が４次元以上の場合（楽曲パラメータが４つ以上の因子を含む場合）であっても、任意の２つの因子に着目することによって、当該２つの因子の印象空間における位置関係を表示画面上に反映させて楽曲情報を表示することができる。
【００７６】
また、他の実施の形態においては、楽曲再生装置は、楽曲パラメータに含まれる少なくとも１つの因子に着目するものであればよい。すなわち、楽曲パラメータに含まれる少なくとも１つの因子の印象空間における位置関係を表示画面上に反映させて楽曲情報を表示するものであればよい（図４に示す楽曲情報３４および３５参照。）。
【００７７】
また、上記第１および第２の実施の形態においては、楽曲再生装置は、候補曲の全体（１曲分）を再生する指示を受け付けることとした。ここで、他の実施の形態においては、当該指示に加えて、候補曲の一部のみを再生する指示を受け付けるようにしてもよい。すなわち、楽曲再生装置は、候補曲の全体を再生する（通常再生）指示と、候補曲の一部のみを再生する（一部再生）指示とを受け付けるようにしてもよい。以下、候補曲の一部のみを再生する指示を受け付ける場合の詳細を、上記第１および第２の実施の形態の変形例として説明する。
【００７８】
変形例においては、楽曲データ格納部１は、楽曲の全体のうち、上記一部再生を行う部分を示す情報を格納しておく。一部再生を行う部分は、例えば、楽曲のサビの部分、すなわち、その楽曲の音楽的に最も印象的な部分とする。なお、サビの部分は、例えば上記特開２００２−２７８５４７号公報に記載の方法等で算出することが可能である。パラメータ算出部２は、楽曲データ格納部１にデータが格納されている楽曲について当該部分の開始点を予め算出しておく。再生制御部５は、入力部９から候補曲の一部再生の指示を受けた場合、当該候補曲の開始点を示す情報を楽曲データ格納部１から取得する。そして、当該開始点から候補曲を再生するように再生部４を制御する。つまり、候補曲の一部再生の指示がユーザによって行われた場合、再生曲の全体が再生されるわけではない。また、このとき、再生制御部５は、新たな楽曲のデータ再生が開始されたことを候補曲特定部６に通知しない。
【００７９】
以上のように楽曲の一部のみ（例えば、サビの部分のみ）が再生される場合、ユーザは、当該楽曲の一部のみを聴取し、その楽曲の全体を再生するか否かを判断する。そして、その楽曲が気に入れば、上記通常再生の指示を行う。なお、楽曲の一部のみの再生が終了してもユーザから指示がない場合、他の楽曲の一部をさらに再生するようにしてもよい。
【００８０】
以上のように、上記変形例においては、候補曲の一部のみを再生し、ユーザが気に入った場合には当該候補曲を最初から聴けるようにする。これによって、ユーザは、候補曲の内容をより的確に把握してから候補曲の全体を再生することができる。
【００８１】
なお、上記実施の形態においては、各タイプについて特定される候補曲は１曲ずつであり、各タイプにつき１曲の候補曲の楽曲情報が表示された。ここで、他の実施の形態においては、１種類のタイプにつき複数の候補曲を提示するようにしてもよい。例えば、再生曲より少し賑やかな楽曲として２つの候補曲を特定する場合、当該候補曲としては、情動因子の値が再生曲よりも大きく、かつ、再生曲の情動因子との差が所定範囲内となることを条件として、当該条件を満たす楽曲の中から２つの楽曲がランダムに決定されてもよい。また、当該候補曲としては、情動因子の値が再生曲よりも大きく、かつ、再生曲の情動因子との差が小さい楽曲から順に複数の楽曲が決定されてもよい。複数の候補曲を特定する場合も、１つの候補曲を特定する場合と同様、楽曲パラメータを用いて行う方法であればどのような方法であってもよい。
【００８２】
また、１種類のタイプにつき複数の候補曲を表示装置に表示する場合、例えば次のような表示形態が考えられる。すなわち、１つの表示領域（図４に示す楽曲情報３１や楽曲情報３２等）内に当該複数の候補曲の楽曲情報を表示するようにしてもよい。また、例えば、候補曲に合わせて複数の表示領域を設けるようにしてもよい。具体的には、同じタイプの候補曲が、再生曲の楽曲情報が表示される画面中央部から一列に並ぶように表示されてもよい。図４を例にとって説明すると、タイプ２の候補曲が例えば２つ特定される場合、図４に示す楽曲情報３４が表示される表示領域の上にさらに１つの楽曲情報を表示するための表示領域を設けるようにしてもよい。さらに、同じタイプの複数の候補曲の楽曲情報が画面中央部から一列に表示される場合、当該楽曲情報は、当該候補曲の楽曲パラメータの値に応じて順番に並べて表示されてもよい。例えば、図４の例では、情動因子の値が小さい候補曲ほど画面の下側に位置するように楽曲情報が表示されるようにしてもよい。
【産業上の利用可能性】
【００８３】
なお、上記楽曲再生装置は、カーオーディオシステム等に用いられるジュークボックスとして利用することが可能である。
【図面の簡単な説明】
【００８４】
【図１】本発明の第１の実施の形態に係る楽曲再生装置の構成を示すブロック図
【図２】第１の実施の形態における印象空間の一例を示す図
【図３】候補曲特定部６における処理の流れを示すフローチャート
【図４】第１の実施の形態における候補曲の表示画面の例を示す図
【図５】第２の実施の形態における印象空間の一例を示す図
【図６】従来の楽曲再生装置の構成を示す図
【符号の説明】
【００８５】
１  楽曲データ格納部
２  パラメータ算出部
３  パラメータ格納部
４  再生部
５  再生制御部
６  候補曲特定部
７  楽曲タイプ格納部
８  表示制御部
９  入力部
１０  表示部
１１  楽曲情報格納部
【図１】
2005032409.tif 000003
【図２】
2005032409.tif 000004
【図３】
2005032409.tif 000005
【図４】
2005032409.tif 000006
【図５】
2005032409.tif 000007
【図６】
2005032409.tif 000008